(57)【特許請求の範囲】
【請求項１】
モータによりレンズ鏡筒の駆動を行うレンズ鏡筒の駆動機構であって、
カメラ本体内に、その軸線を平行にして隣接させて配置した、略円柱状の電池室とパトローネ室、
前記モータの出力軸に固着したウォーム、
該ウォームに噛合するウォームホイールからの回転力を前記レンズ鏡筒に伝達するギヤ列、
前記モータの出力軸に固着したパルス板、
前記電池室とパトローネ室の間に形成された略三角柱状の空間に位置し、前記レンズ鏡筒の駆動量に対応する前記パルス板の回転数を検出するフォトインタラプタ、及び
前記ウォームとパルス板の間に位置する態様で前記出力軸に設けられ、前記出力軸とウォームに塗布した潤滑油が前記フォトインタラプタに付着するのを防止するオイル飛散防止鍔、を備えることを特徴とするレンズ鏡筒の駆動機構。
【請求項２】
請求項１記載のレンズ鏡筒の駆動機構において、前記カメラ本体に、前記ウォームとパルス板の間に位置させて、前記出力軸とウォームに塗布した潤滑油が前記フォトインタラプタに付着するのを防止するオイル飛散防止壁を設けたレンズ鏡筒の駆動機構。
【請求項３】
モータによりレンズ鏡筒の駆動を行うレンズ鏡筒の駆動機構であって、
カメラ本体内に、その軸線を平行にして隣接させて配置した、略円柱状の電池室とパトローネ室、
前記モータの出力軸に固着したウォーム、
該ウォームに噛合するウォームホイールからの回転力を前記レンズ鏡筒に伝達するギヤ列、
前記モータの出力軸に固着したパルス板、
前記電池室とパトローネ室の間に形成された略三角柱状の空間に位置し、前記レンズ鏡筒の駆動量に対応する前記パルス板の回転数を検出するフォトインタラプタ、及び
前記ウォームとパルス板の間に位置する態様で前記カメラ本体に設けられ、前記出力軸とウォームに塗布した潤滑油が前記フォトインタラプタに付着するのを防止するオイル飛散防止壁、を備えることを特徴とするレンズ鏡筒の駆動機構。
【請求項４】
請求項１から３のいずれか１項記載のレンズ鏡筒の駆動機構において、前記モータがその軸線を前記電池室とパトローネ室の軸線と平行にして配設されているレンズ鏡筒の駆動機構。
【発明の詳細な説明】
【０００１】
【技術分野】
本発明は、例えばズーミング機構などを駆動させるためにレンズ鏡筒の繰り出しを行うレンズ鏡筒の駆動機構に関する。
【０００２】
【従来技術及びその問題点】
例えばオートフォーカシング動作やズーミング動作を行うために、カメラ内のレンズ鏡筒を前後に移動させるレンズ鏡筒の駆動機構が、各種提案され開発されている。このようなレンズ鏡筒の駆動機構としては、例えば、モータと、このモータの出力軸に固着した駆動ギヤと、この駆動ギヤの回転数を減速する減速ギヤ列などとを備えた構成のものが知られている。
【０００３】
また、このような構成のレンズ鏡筒の駆動機構では、ピント調整やズーミング調整をできるだけ正確に行おうとすると、レンズ鏡筒を移動させる際にそのレンズ鏡筒の移動量を正確に制御することが重要となっている。
そこで、このような構成のレンズ鏡筒の駆動機構にあっては、例えばギヤ列のうち初段のギヤ若しくは途中のギヤと平行な状態で設け、そのギヤと一体に回転するパルス板と、このパルス板を両側から挟んで設けたフォトインタラプタとで構成されるレンズ鏡筒の移動量検出手段を備えたものが知られている。
【０００４】
ところが、このような構成の移動量検出手段にあっては、通常、狭いカメラ本体内の限られたスペースに設置することになるから、組み付け作業が困難である。特に、パルス板は、前述したように、ギヤ列を構成する各ギヤと平行に配置するので、設置領域は必然的に限定されている。従って、このパルス板などの設置領域を広く確保しようとすると、どうしてもカメラ本体の下部等を延伸させてそこにスペースを確保するなどの措置が必要となり、カメラ本体の小型化には不都合である。
しかも、パルス板の回転数を高めて精度の高い移動量検出を行うためには、小歯車を必要とするので、設置スペースのさらなる増大を招いているとともに、その分コストの増大を招いている。
【０００５】
【発明の目的】
そこで、本発明は、上記した事情に鑑み、移動量検出手段用に設置スペースを新たに必要とせず小型化に好都合であるとともに、製造コストを最小限に抑えながら精度の高いレンズ鏡筒の移動量検出を行うことができるレンズ鏡筒の駆動機構を提供することを目的とする。
【０００６】
【発明の概要】
本発明は、モータによりレンズ鏡筒の駆動を行うレンズ鏡筒の駆動機構であって、カメラ本体内に、その軸線を平行にして隣接させて配置した、略円柱状の電池室とパトローネ室、前記モータの出力軸に固着したウォーム、該ウォームに噛合するウォームホイールからの回転力を前記レンズ鏡筒に伝達するギヤ列、前記モータの出力軸に固着したパルス板、前記電池室とパトローネ室の間に形成された略三角柱状の空間に位置し、前記レンズ鏡筒の駆動量に対応する前記パルス板の回転数を検出するフォトインタラプタ、及び前記ウォームとパルス板の間に位置する態様で前記出力軸に設けられ、前記出力軸とウォームに塗布した潤滑油が前記フォトインタラプタに付着するのを防止するオイル飛散防止鍔、を備えることを特徴としている。
【０００７】
さらに、前記カメラ本体に、前記ウォームとパルス板の間に位置させて、前記出力軸とウォームに塗布した潤滑油が前記フォトインタラプタに付着するのを防止するオイル飛散防止壁を設けるのが好ましい。
【０００８】
別の態様によれば、本発明は、モータによりレンズ鏡筒の駆動を行うレンズ鏡筒の駆動機構であって、カメラ本体内に、その軸線を平行にして隣接させて配置した、略円柱状の電池室とパトローネ室、前記モータの出力軸に固着したウォーム、該ウォームに噛合するウォームホイールからの回転力を前記レンズ鏡筒に伝達するギヤ列、前記モータの出力軸に固着したパルス板、前記電池室とパトローネ室の間に形成された略三角柱状の空間に位置し、前記レンズ鏡筒の駆動量に対応する前記パルス板の回転数を検出するフォトインタラプタ、及び前記ウォームとパルス板の間に位置する態様で前記カメラ本体に設けられ、前記出力軸とウォームに塗布した潤滑油が前記フォトインタラプタに付着するのを防止するオイル飛散防止壁、を備えることを特徴としている。
【０００９】
いずれの態様でも、前記モータがその軸線を前記電池室とパトローネ室の軸線と平行にして配設されているのが好ましい。
【００１１】
【発明の実施形態】
以下、この発明の実施の形態について、添付図面を参照しながら説明する。
図１は、この発明にかかるレンズ鏡筒の駆動機構を設けたカメラ本体９を示す。このレンズ鏡筒の駆動機構は、ズーム用のモータ１と、このモータ１の出力軸１Ａに固着されたウォーム２と、このウォーム２の回転軸２Ａに設けたパルス板（回転数検出手段）３と、このパルス板３を挟む両側に設けたフォトインタラプタ（回転数検出手段）４と、このパルス板３とウォーム２との間の回転軸２Ａに設けた鍔（オイル飛散防止鍔）５と、ギヤ列６とを備えている。なお、符号７はレンズ鏡筒を示す。
【００１２】
モータ１は、カメラ本体９の右下（正面に向かって左下）において、図１及び図２に示すように、電池室９１及びパトローネ室９２の近傍に縦置き状態で配設されており、図２に示すように、電池室９１、パトローネ室９２及びギヤ列６の間には、略３角柱状のデッドスペース（以下、三角空間Ｔとよぶ）が形成されている。
【００１３】
ウォーム２は、モータ１の出力軸１Ａ側の高速回転動作を減速させてギヤ列６へ伝達するようになっており、モータ１の直下に縦置き状態で設置されている。このウォーム２には、中心部に基端面２１から先端面２２まで貫通して設けた軸孔２３に、モータ１の出力軸１Ａ（これがウォーム２の回転軸２Ａを構成する）が圧入されて一体に固定されており、片持ち状態のままモータ１によって回転駆動する。また、このウォーム２は、カメラ本体９において縦方向の回転動作をこれと直交する水平方向の回転動作に直交変換させるようになっており、これにより水平方向に回転軸が配置されたギヤ列へ回転力が伝達される。
なお、ウォーム２からギヤ列６への動力伝達の際に、このギヤ列６側からの反作用で出力軸１Ａの先端からウォーム２が抜け出すのを防止するために、後述するカメラ本体９（９Ａ）側には、出力軸１Ａの先端に接近・対向して押え板８１を設けている。つまり、この押え板８１により出力軸１Ａからのウォーム２の抜け止めを行う。
【００１４】
パルス板３は、回転数検出手段の一部を構成するものであり、図３に示すように、直径Ｒ１の円盤状のもので構成されているとともに出力軸１Ａに一体に固定されおり、この実施形態では透孔（回転数検出手段）３１が１２０度の間隔で３個所形成されている。なお、このパルス板３は、高速回転するモータ１の出力軸１Ａに直結されているので、従来の減速用のギヤ列側に設置するタイプのものと異なり、小歯車などを介して増速させなくとも、高精度の位置検出を行うことができるわけである。
【００１５】
三角空間Ｔ内に位置するフォトインタラプタ４は、パルス板３とともに回転数検出手段を構成するものであり、パルス板３の透孔３１の通過数を光学的に検出・カウントすることで、出力軸１Ａと一体に回転するパルス板３の回転数を検出するようになっており、鏡筒の移動量が算出できるようになっている。
【００１６】
鍔５は、モータ１側の出力軸１付近やウォーム２に塗布されたグリースなどの潤滑油が飛散してフォトインタラプタ４に付着するのを防止するものであり、直径Ｒ２（但し、Ｒ１＞Ｒ２）の略円盤状に形成されている。そして、この鍔５は、ウォーム２の先端面２２とパルス板３との間であって、特にフィトインタラプタ４よりもウォーム２寄りの回転軸２Ａ上に設けてある。
【００１７】
ギヤ列６は、鏡筒の繰り出し動作を行う際に必要なトルクを稼ぐためにウォーム２で減速された回転動作をさらに減速させて鏡筒側へ伝達させるようになっている。この実施形態に係るギヤ列６は、ウォーム２に噛合するウォームホイール６１を含む複数のギヤで構成され、カメラ本体９のギヤ列取付け部９Ａに取付けられている。なお、特にこのカメラ本体９には、図４及び図５に示すように、ウォーム２に下側から回り込むような状態でギヤ列取付け部９Ａ側から側方に突出した突出部９Ｂに、飛散防止壁であるＵ字形状のリブ（オイル飛散防止壁）８２が形成されている。
【００１８】
このリブ８２は、鍔５とともにウォーム２などに塗布された潤滑油の飛散防止を図るものであり、鍔５とパルス板３との間において、出力軸１Ａの外周下半分側を取り囲むようにしてカメラ本体９に設けられている。なお、この他に、例えば、逆凸型或は逆Ｕ字型などの適宜の形状を有する別のリブをさらに押え板８１と一体に（或は押え板８１とは別に）設けてもよい。即ち、このリブ８２が出力軸１Ａの外周面下半分側を取り囲んでいるので、オープン状態になっているこの出力軸１Ａの外周面上半分側を補完するように別のリブを重複して設ければよい。これにより、ウォーム２側とパルス板３及びフォトインタラプタ４との間を、これらのリブで略完全に遮断することができ、潤滑油の飛散をより確実に回避できる。
【００１９】
従って、この実施形態によれば、カメラ本体９を余計に大きく形成しなくとも、デッドスペースである三角空間Ｔに、回転数検出手段の一部であるフォトインタラプタ４を設置できるようになる。
【００２０】
しかも、この実施形態によれば、例えば出力軸１Ａが高速回転することにより、この出力軸１Ａやウォーム２に塗布したグリースなどの潤滑油が各所に飛散しても、リブ８２と鍔５とにより、潤滑油がフォトインタラプタ４へ付着するのを防止できる。従って、パルス板３の透孔３１の数をフォトインタラプタ４で正確にカウントできるので、レンズ鏡筒移動量の検出の際に、誤差が発生するのを防止できるようになり、信頼度が高まる。
【００２１】
【発明の効果】
本発明によれば、従来利用されていなかったカメラ本体内の電池室とパトローネ室との間の略三角柱状の空間に、回転数検出手段の一部を配置したので、回転数検出手段用の設置スペースを別に設ける必要がなく、カメラ本体の小型化を図ることができる。
【００２２】
しかも、この発明によれば、高速回転可能なモータの出力軸側に直結させて回転数検出手段の一部をなすフォトインタラプタを設けているから、従来のように、小歯車などを介在させる、といった増速手段をわざわざ別に設けなくても、レンズ鏡筒の移動量を精度良く検出できるようになり、製造コストが増大するのを抑えながら、小型で高精度のレンズ鏡筒の駆動機構を実現することが可能になる。
さらに、オイル飛散防止鍔やオイル飛散防止壁によって、出力軸とウォームに塗布した潤滑油がフォトインタラプタに付着するのを防止できるので、フォトインタラプタはパルス板の回転数を正確に検出できる。
【図面の簡単な説明】
【図１】この発明に係るレンズ鏡筒の駆動機構を設けたカメラ本体内部示す正面図である。
【図２】同駆動機構の要部を示す要部底面図である。
【図３】同駆動機構を示す概略斜視図である。
【図４】同駆動機構の要部拡大正面図である。
【図５】同駆動機構の拡大底面図である。
【符号の説明】
１        ズーム用のモータ
１Ａ      出力軸
２        ウォーム
２Ａ      回転軸
３        パルス板（回転数検出手段）
３１      透孔（回転数検出手段）
４        フォトインタラプタ（回転数検出手段）
５        鍔（オイル飛散防止鍔）
６        ギヤ列
６１      ウォームホイール
７        レンズ鏡筒
８１      押え板
８２      Ｕ字形状のリブ（オイル飛散防止壁）
９        カメラ本体
９１      電池室
９２      パトローネ室
Ｔ        三角空間
【図１】
0003679739.tif 000002
【図２】
0003679739.tif 000003
【図３】
0003679739.tif 000004
【図４】
0003679739.tif 000005
【図５】
0003679739.tif 000006